(57)【特許請求の範囲】
【請求項１】
信号干渉を低減するよう動作可能なユーザ機器（ＵＥ）であって、
前記ＵＥは、
デジタルメモリデバイスに格納され、またはハードウェア回路において実装される通信モジュールであって、
半静的シグナリングを隣接進化型ノードＢ（ｅＮＢ）からサービングｅＮＢを介して受信し、前記半静的シグナリングは、前記隣接ｅＮＢで用いられる複数の信号パラメータの複数の潜在的構成を含み、前記ＵＥは、前記サービングｅＮＢによりサーブされるセル内に位置され、
前記隣接ｅＮＢで所与のダウンリンクサブフレームにおいて用いられる前記複数の信号パラメータの複数の潜在的構成のサブセットを含む動的シグナリングを、前記隣接ｅＮＢが、前記複数の信号パラメータの複数の潜在的構成のうちの少なくとも１つを選択し、または既存構成における複数の信号パラメータを修正することに応答して、前記隣接ｅＮＢから直接受信する、前記通信モジュールと、
デジタルメモリデバイスに格納され、またはハードウェア回路において実装される干渉低減モジュールであって、
前記複数の信号パラメータの複数の潜在的構成を含む前記半静的シグナリング、および前記複数の信号パラメータの複数の潜在的構成の前記サブセットを含む前記動的シグナリングを用いて、前記隣接ｅＮＢにより引き起こされる前記ＵＥでの信号干渉を低減する、前記干渉低減モジュールと
を備え、
前記複数の信号パラメータの複数の潜在的構成の前記サブセットは、前記隣接ｅＮＢで用いられる複数の信号パラメータの実際の構成である、
ＵＥ。
【請求項２】
前記通信モジュールは、前記隣接ｅＮＢが、前記複数の信号パラメータの複数の潜在的構成のうちの少なくとも１つを選択し、または既存構成における複数の信号パラメータを修正したことをトリガとして送信した前記動的シグナリングを受信する、請求項１に記載のＵＥ。
【請求項３】
前記通信モジュールは、前記動的シグナリングを、物理ダウンリンク制御チャネル（ＰＤＣＣＨ）または拡張型ＰＤＣＣＨ（ＥＰＤＣＣＨ）を介して前記隣接ｅＮＢから受信する、請求項１または２に記載のＵＥ。
【請求項４】
前記通信モジュールは、前記半静的シグナリングを、無線リソース制御（ＲＲＣ）シグナリングを介して前記サービングｅＮＢから受信する、請求項１から３のいずれか一項に記載のＵＥ。
【請求項５】
前記通信モジュールは、前記半静的シグナリングを、定義された周期性に従って、前記隣接ｅＮＢから受信する、請求項１から４のいずれか一項に記載のＵＥ。
【請求項６】
前記ＵＥは、前記サービングｅＮＢによりサーブされる前記セル内のセル端に隣接して配置され、前記隣接ｅＮＢからの信号干渉に耐える、請求項１から５のいずれか１項に記載のＵＥ。
【請求項７】
前記隣接ｅＮＢは、前記ＵＥをサーブしている前記サービングｅＮＢに近接する隣接セル内に位置する、請求項１から６のいずれか１項に記載のＵＥ。
【請求項８】
前記通信モジュールは、前記半静的シグナリングを、ユニキャスト送信を介して前記サービングｅＮＢから受信し、前記サービングｅＮＢは、前記半静的シグナリングを、バックホールリンクを介して前記隣接ｅＮＢから受信する、請求項１から７のいずれか１項に記載のＵＥ。
【請求項９】
前記半静的シグナリングにおける前記複数の信号パラメータの複数の潜在的構成、および前記動的シグナリングにおける前記複数の信号パラメータの複数の潜在的構成の前記サブセットは、
物理リソースブロック（ＰＲＢ）割り当て粒度、
複数のサポートされた送信モードのサブセット、
ＰＲＢホッピングが前記隣接ｅＮＢで用いられるという指標、
複数のダウンリンク送信に対する最大レイヤ数、
最大変調次数、
フレームのアップリンク‐ダウンリンク構成、
複数のパワーオフセットの複数の値のサブセット、または
定義された送信モードのための複数のＵＥ固有の基準信号に対する複数のスクランブリング識別のサブセットのうちの少なくとも１つを含む、請求項１から８のいずれか１項に記載のＵＥ。
【請求項１０】
前記干渉低減モジュールは、前記隣接ｅＮＢにより引き起こされる前記信号干渉を低減するために、ブラインド検出を実行し、前記ＵＥは、前記半静的シグナリングにおける前記複数の信号パラメータの複数の潜在的構成、または前記動的シグナリングにおける前記複数の信号パラメータの複数の潜在的構成の前記サブセットのうちの少なくとも１つを用いて、前記ブラインド検出を実行する、請求項１から９のいずれか１項に記載のＵＥ。
【請求項１１】
前記通信モジュールは、前記動的シグナリングを、ブロードキャスト送信を介して前記隣接ｅＮＢから受信する、請求項１から１０のいずれか１項に記載の前記ＵＥ。
【請求項１２】
１または複数のプロセッサを有し、信号干渉の低減を容易にするよう動作可能である隣接進化型ノードＢ（ｅＮＢ）であって、
前記１または複数のプロセッサは、
半静的シグナリングを、サービングｅＮＢを介してユーザ機器（ＵＥ）に送信し、前記半静的シグナリングは、前記隣接ｅＮＢで用いられる複数の信号パラメータの複数の潜在的構成を含み、前記ＵＥは、前記サービングｅＮＢによりサーブされるセル内に位置し、
前記隣接ｅＮＢで所与のダウンリンクサブフレームにおいて用いられる前記複数の信号パラメータの複数の潜在的構成のサブセットを含む動的シグナリングを、前記複数の信号パラメータの複数の潜在的構成のうちの少なくとも１つを選択し、または既存構成における複数の信号パラメータを修正することに応答して、前記ＵＥに直接送信し、
前記複数の信号パラメータの複数の潜在的構成を含む前記半静的シグナリング、および前記複数の信号パラメータの複数の潜在的構成の前記サブセットを含む前記動的シグナリングは、前記ＵＥが、前記隣接ｅＮＢにより引き起こされる前記ＵＥでの信号干渉を低減させることを可能とし、
前記複数の信号パラメータの複数の潜在的構成の前記サブセットは、前記隣接ｅＮＢで用いられる複数の信号パラメータの実際の構成である、
隣接ｅＮＢ。
【請求項１３】
前記１または複数のプロセッサは、前記複数の信号パラメータの複数の潜在的構成のうちの少なくとも１つを選択し、または既存構成における複数の信号パラメータを修正すると、前記動的シグナリングを前記ＵＥに送信するようトリガされる、請求項１２に記載の隣接ｅＮＢ。
【請求項１４】
前記１または複数のプロセッサは、前記半静的シグナリングを、定義された周期性に従って、前記ＵＥに送信する、請求項１２または１３に記載の隣接ｅＮＢ。
【請求項１５】
前記隣接ｅＮＢからの前記信号干渉に耐える前記ＵＥは、前記サービングｅＮＢによりサーブされる前記セル内のセル端に隣接して配置される、請求項１２から１４のいずれか１項に記載の隣接ｅＮＢ。
【請求項１６】
前記隣接ｅＮＢは、前記ＵＥをサーブする前記サービングｅＮＢに近接する隣接セル内に位置する、請求項１２から１５のいずれか１項に記載の隣接ｅＮＢ。
【請求項１７】
前記１または複数のプロセッサは、前記半静的シグナリングを、バックホールリンクを介して前記サービングｅＮＢに送信し、前記サービングｅＮＢは、前記半静的シグナリングを、前記ＵＥへのユニキャスト送信を介して前記ＵＥに転送する、請求項１２から１６のいずれか１項に記載の隣接ｅＮＢ。
【請求項１８】
前記半静的シグナリングにおける前記複数の信号パラメータの複数の潜在的構成、および前記動的シグナリングにおける前記複数の信号パラメータの複数の潜在的構成の前記サブセットは、
物理リソースブロック（ＰＲＢ）割り当て粒度、
複数のサポートされた送信モードのサブセット、
ＰＲＢホッピングが前記隣接ｅＮＢで用いられるという指標、
複数のダウンリンク送信に対する最大レイヤ数、
最大変調次数、
フレームのアップリンク‐ダウンリンク構成、
複数のパワーオフセットの複数の値のサブセット、または
定義された送信モードのための複数のＵＥ固有の基準信号に対する複数のスクランブリング識別のサブセットのうちの少なくとも１つを含む、請求項１２から１７のいずれか１項に記載の隣接ｅＮＢ。
【請求項１９】
前記１または複数のプロセッサは、前記動的シグナリングを、ブロードキャスト送信を介して前記ＵＥに送信する、請求項１２から１８のいずれか１項に記載の隣接ｅＮＢ。
【請求項２０】
信号干渉を低減するための方法であって、
半静的シグナリングを、隣接進化型ノードＢ（ｅＮＢ）からユーザ機器（ＵＥ）で受信する段階であって、前記半静的シグナリングは、前記隣接ｅＮＢで用いられる複数の信号パラメータの複数の潜在的構成を含む段階と、
前記隣接ｅＮＢで用いられる前記複数の信号パラメータの複数の潜在的構成のサブセットを含む動的シグナリングを、前記隣接ｅＮＢが前記複数の信号パラメータの複数の潜在的構成のうちの少なくとも１つを選択し、または既存構成における複数の信号パラメータを修正することに応答して、前記隣接ｅＮＢから前記ＵＥで直接受信する段階と、
前記半静的シグナリングと前記動的シグナリングとを用いて、前記隣接ｅＮＢにより引き起こされる前記ＵＥでの信号干渉を低減させる段階と、
を備え、
前記複数の信号パラメータの複数の潜在的構成の前記サブセットは、前記隣接ｅＮＢで用いられる複数の信号パラメータの実際の構成である、
方法。
【請求項２１】
前記隣接ｅＮＢは、前記複数の信号パラメータの複数の潜在的構成のうちの少なくとも１つを選択し、または既存構成における複数の信号パラメータを修正すると、前記動的シグナリングを前記ＵＥに送信するようトリガされる、請求項２０に記載の方法。
【請求項２２】
前記隣接ｅＮＢにより引き起こされる前記信号干渉を低減するために、前記半静的シグナリングと前記動的シグナリングとを用いて、ブラインド検出を実行する段階を更に備える、請求項２０または２１に記載の方法。
【請求項２３】
前記半静的シグナリングを前記隣接ｅＮＢから前記ＵＥで受信する前記段階は、前記隣接ｅＮＢからの前記半静的シグナリングを、サービングｅＮＢからのユニキャスト送信を介して前記ＵＥで受信し、
前記サービングｅＮＢは、前記半静的シグナリングを、バックホールリンクを介して前記隣接ｅＮＢから受信する、請求項２０から２２のいずれか１項に記載の方法。
【請求項２４】
前記半静的シグナリングを前記隣接ｅＮＢから前記ＵＥで受信する前記段階は、前記半静的シグナリングを、定義された周期性に従って、前記隣接ｅＮＢから受信する、請求項２０から２３のいずれか１項に記載の方法。
【発明の詳細な説明】
【背景技術】
【０００１】
無線モバイル通信技術は、ノード（例えば、送信局）と無線デバイス（例えば、モバイルデバイス）との間でデータを送信すべく、様々な規格および様々なプロトコルを用いる。いくつかの無線デバイスは、ダウンリンク（ＤＬ）送信において直交周波数分割多元接続（ＯＦＤＭＡ）を、アップリンク（ＵＬ）送信においてシングルキャリア周波数分割多元接続（ＳＣ−ＦＤＭＡ）を用いて通信する。信号送信のために直交周波数分割多重方式（ＯＦＤＭ）を用いる複数の規格および複数のプロトコルは、第３世代パートナシッププロジェクト（３ＧＰＰ）ロングタームエボリューション（ＬＴＥ）、ＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として複数の業界団体に一般的に知られている電気電子技術者協会（ＩＥＥＥ）８０２．１６規格（例えば、８０２．１６ｅ、８０２．１６ｍ）、およびＷｉＦｉとして複数の業界団体に一般的に知られているＩＥＥＥ８０２．１１規格を含む。
【０００２】
複数の３ＧＰＰ無線アクセスネットワーク（ＲＡＮ）ＬＴＥシステムにおいて、ノードは、（複数の進化型ノードＢ、複数の拡張型ノードＢ、複数のｅＮｏｄｅＢ、または複数のｅＮＢとしても一般的に示される）複数の進化型ユニバーサル地上波無線アクセスネットワーク（Ｅ−ＵＴＲＡＮ）ノードＢ、および複数の無線ネットワークコントローラ（ＲＮＣ）の組み合わせであり得、ユーザ機器（ＵＥ）として知られる無線デバイスと通信する。ダウンリンク（ＤＬ）送信は、ノード（例えば、ｅＮｏｄｅＢ）から無線デバイス（例えば、ＵＥ）への通信であり得、アップリンク（ＵＬ）送信は、無線デバイスからノードへの通信であり得る。
【０００３】
複数の同種ネットワークにおいて、マクロノードとも呼ばれるノードは、セルにおける複数の無線デバイスに基本となる無線カバレッジを提供し得る。セルは、複数の無線デバイスがマクロノードと通信するように動作可能なエリアであり得る。複数の異種ネットワーク（ＨｅｔＮｅｔ）は、複数の無線デバイスの増加した使用量および高められた機能性に起因する、複数のマクロノードにかかる増大したトラフィック負担を処理するのに用いられ得る。複数のＨｅｔＮｅｔは、複数の計画された高電力マクロノード（または複数のマクロ‐ｅＮＢ）のレイヤと、それに重ね合わせられる、マクロノードのカバレッジエリア（セル）内であまりよく計画されていない、または更には全く調整されていないやり方で配置され得る複数のより低電力のノード（複数のスモールｅＮＢ、複数のマイクロ‐ｅＮＢ、複数のピコ‐ｅＮＢ、複数のフェムト‐ｅＮＢ、または複数のホームｅＮＢ［ＨｅＮＢ］）の複数のレイヤとを含み得る。複数のより低電力のノード（ＬＰＮ）は、概して「複数の低電力ノード」、複数のスモールノード、または複数のスモールセルと称され得る。
【０００４】
ＬＴＥにおいて、データは、物理ダウンリンク共有チャネル（ＰＤＳＣＨ）を介して、ｅＮｏｄｅＢからＵＥに送信され得る。物理アップリンク制御チャネル（ＰＵＣＣＨ）は、データが受信されたことをアクノリッジすべく用いられ得る。ダウンリンクおよびアップリンクの複数のチャネルまたは複数の送信は、時分割複信（ＴＤＤ）または周波数分割複信（ＦＤＤ）を用い得る。
【図面の簡単な説明】
【０００５】
本開示の複数の特徴および複数の利点は、本開示の複数の特徴を例として共に示す添付の複数の図面と併用される、以下の詳細な説明から明らかになるだろう。
【図１Ａ】一例による、同一セル内の複数のユーザ機器（ＵＥ）間のセル内干渉を図示する。
【図１Ｂ】一例による、複数の隣接セル内の複数のユーザ機器（ＵＥ）間のセル間干渉を図示する。
【図２】一例による、ユーザ機器（ＵＥ）での干渉軽減のための、隣接進化型ノードＢ（ｅＮＢ）とＵＥとの間の半静的シグナリングと、隣接ｅＮＢとＵＥとの間の動的シグナリングとを図示する。
【図３】一例による、ＵＥでの干渉軽減のための、サービングｅＮＢを介した隣接進化型ノードＢ（ｅＮＢ）とユーザ機器（ＵＥ）との間の半静的シグナリングと、隣接ｅＮＢとＵＥとの間で直接行われる動的シグナリングとを図示する。
【図４】一例による、信号干渉を低減するよう動作可能なユーザ機器（ＵＥ）の機能性を図示する。
【図５】一例による、信号干渉の低減を容易にするよう動作可能な隣接進化型ノードＢ（ｅＮＢ）の機能性を示す。
【図６】一例による、信号干渉を低減するための方法のフローチャートを示す。
【図７】一例による、無線デバイス（例えばＵＥ）の図を図示する。  参照は、複数の例示的な実施形態が示されるために付され、特定の言語は、それを説明するために本明細書において用いられるであろう。それでもなお、これにより発明の範囲の限定を意図していないことは理解されるであろう。
【発明を実施するための形態】
【０００６】
本願発明が開示および説明される前に、本発明が本明細書において開示される特定の複数の構造、複数の処理ステップ、または複数の材料に限定されないが、当業者が認識し得るこれらの複数の均等物にまで拡張されることが理解されるべきである。また、本明細書において採用される用語が特定の複数の実施例を説明する目的のみに用いられ、限定することを意図されないことが理解されるべきである。異なる複数の図面における複数の同一の参照符号は、同一の要素を表す。複数のフローチャートおよび複数の処理において提供される複数の数字は、複数のステップおよび複数の動作を示すことにおける明確性のために提供され、必ずしも特定の順序または配列を示さない。［例示的な実施形態］
【０００７】
複数の技術的実施形態の最初の概要が以下に提供され、次に、複数の具体的な技術的実施形態が後で更に詳細に説明される。この最初の要約は、技術をより迅速に理解する上で複数の読み手を手助けすることが意図されるが、技術の複数の重要な特徴または複数の不可欠な特徴を特定することは意図されず、または特許請求された主題の範囲を限定することは意図されない。
【０００８】
ネットワーク支援による干渉除去および抑圧（ＮＡＩＣＳ）を用いた、ユーザ機器（ＵＥ）での信号干渉を低減するための技術を説明する。ＵＥは、サービング進化型ノードＢ（ｅＮＢ）によりサーブされ得る。ＵＥは、サービングｅＮＢによりサーブされるセル内のセル端に隣接し得る。隣接セルにおいて、隣接ｅＮＢは、ＵＥに対して信号干渉を引き起こし得る。ＵＥが信号干渉を軽減することを可能とするために、隣接ｅＮＢは、半静的シグナリングをＵＥに周期的に送信し得る。一構成において、隣接ｅＮＢは、半静的シグナリングを、サービングｅＮＢを介してＵＥに送信し得る。例えば、隣接ｅＮＢは、半静的シグナリングを、バックホールリンクを介してサービングｅＮＢに送信し得、次に、サービングｅＮＢは、半静的シグナリングを、ユニキャスト送信を介して転送し得る。
【０００９】
半静的シグナリングは、隣接ｅＮＢで用いられる複数の信号パラメータの複数の潜在的構成を含み得る。例えば、半静的シグナリングは、物理リソースブロック（ＰＲＢ）割り当て粒度、複数のサポートされた送信モードのサブセット、ＰＲＢホッピングが隣接ｅＮＢで用いられるという指標、ダウンリンク送信に対する最大レイヤ数、最大変調次数、フレームのアップリンク‐ダウンリンク構成、複数のパワーオフセットの複数の値のサブセット、および／または定義された送信モードに対する複数のスクランブリング識別のサブセットを含み得る。ＵＥは、隣接ｅＮＢからの信号干渉を低減すべく、半静的シグナリングにおいて複数の信号パラメータの複数の潜在的構成を用い得る。例えば、ＵＥは、信号干渉を低減するために、複数の信号パラメータの複数の潜在的構成に基づいて、ブラインド検出を実行し得る。
【００１０】
加えて、隣接ｅＮＢは、複数の信号パラメータの複数の潜在的構成のサブセットを含む動的シグナリングを、ＵＥに直接送信し得る。複数の潜在的信号パラメータ構成のサブセットは、隣接ｅＮＢで所与のダウンリンクサブフレームにおいて用いられ得る。一例において、複数の信号パラメータの複数の潜在的構成のサブセットは、（半静的シグナリングにおいて提供されるような可能な構成の範囲ではなく）隣接ｅＮＢで用いられる複数の信号パラメータの実際の構成である。隣接ｅＮＢは、複数の信号パラメータの複数の潜在的構成のうちの少なくとも１つを選択し、または既存構成において複数の信号パラメータを修正すると、動的シグナリングを送信するようトリガされ得る。動的シグナリングはまた、物理リソースブロック（ＰＲＢ）割り当て粒度、複数のサポートされた送信モードのサブセット、ＰＲＢホッピングが隣接ｅＮＢで用いられるという指標、ダウンリンク送信に対する最大レイヤ数、最大変調次数、フレームのアップリンク‐ダウンリンク構成、複数のパワーオフセットの複数の値のサブセット、および／または定義された送信モードに対する複数のスクランブリング識別のサブセットを含み得る。しかし、動的シグナリングは、半静的シグナリングと比べてより正確および最新のものであり得る。ＵＥは、隣接ｅＮＢからの信号干渉を低減すべく、動的シグナリングにおいて複数の信号パラメータの複数の潜在的構成のサブセットを用い得る。
【００１１】
複数のセル分割利得およびマルチユーザ（ＭＵ）多入力多出力（ＭＩＭＯ）を実現すべく、複数の第３世代パートナシッププロジェクト（３ＧＰＰ）ロングタームエボリューション（ＬＴＥ）アドバンスト（ＬＴＥ−Ａ）ネットワークの容量は、複数の異種ネットワークの配置により向上され得る。両方のシナリオにおいて、複数のセル間ユーザ、またはともにスケジューリングされる複数のセル内ユーザのどちらかからの同一チャネル干渉は、より高いネットワーク容量を実現するための優勢な制限要因になることが予想される。複数のＭＵ−ＭＩＭＯ送信は、ＭＵダイバーシチに起因して複数のシングルユーザ（ＳＵ）送信と比べてセルスループット（または、セル容量）を著しく増加し得るが、基地局または進化型ノードＢ（ｅＮＢ）でのチャネル状態情報が、期限切れである、または限られた数の利用可能なユーザとともに複数のスモールセルにある場合、ＭＵ−ＭＩＭＯに対してスケジューリングされる複数のユーザは、強力な信号干渉を経験し得る。ＭＵ−ＭＩＭＯにおいて、複数のユーザ機器（ＵＥ）のスループットは、複数のともにスケジューリングされるユーザからの干渉量に依存し得る。信号干渉は、効率的プリコーディングを通じてｅＮＢで、または干渉除去を介したＵＥでのどちらかで管理され得る。ＵＥでの信号干渉を軽減するために、ＵＥは、復号処理における干渉データストリームについての情報を活用し得、信号干渉の低減を通じて性能利得をもたらし得る。
【００１２】
図１Ａは、同一セル内の複数のユーザ機器（ＵＥ）間のセル内干渉を図示する。進化型ノードＢ（ｅＮＢ）１０４は、第１のＵＥ１０２および第２のＵＥ１０６の両方をサーブし得る。第１のＵＥ１０２および第２のＵＥ１０６は、同一セル内（つまり、セル内）にあり得る。加えて、第１のＵＥ１０２および第２のＵＥ１０６は、同一キャリア周波数を用いてデータを送信し得る。第１のＵＥ１０２と第２のＵＥ１０６との間のセル内干渉は、アップリンク（ＵＬ）方向またはダウンリンク（ＤＬ）方向のどちらかにおいて発生し得る。
【００１３】
図１Ｂは、複数の隣接セル内の複数のＵＥ間のセル間干渉を図示する。例えば、第１のＵＥ１１４は第１のｅＮＢ１１２によりサーブされ得、第２のＵＥ１１６は第２のｅＮＢ１１８によりサーブされ得る。第１のＵＥ１１４および第２のＵＥ１１６は、複数の隣接セル内にあり得る。第１のＵＥ１１４は第２のｅＮＢ１１８から干渉を経験し得、第２のＵＥ１１６は第１のｅＮＢ１１２から干渉を経験し得る（つまり、セル間干渉）。一例において、第１のＵＥ１１４および第２のＵＥ１１６の両方は、それぞれのセル内のセル端に位置され得、結果として、隣接セルにおけるｅＮＢからの干渉により耐えられる傾向がある。第１のＵＥ１１４は、第２のＵＥ１１６が同時にデータを送信または受信するときに、干渉に耐え得る。加えて、第１のｅＮＢ１１２および第２のｅＮＢ１１８は、バックホールリンクを介して接続され得る。
【００１４】
通常の３ＧＰＰ  ＬＴＥリリース１１の複数のシステムにおいて、そのような干渉は、送信基地局（つまりネットワーク側）で干渉を回避するのに役立つ、複数の多地点協調（ＣｏＭＰ）技術を用いて軽減され得る。複数の隣接セル間のこれらの協調送信は、ダウンリンクにおいて干渉を低減し得る。加えて、干渉の複数の空間特性を説明することによりＵＥ側で干渉軽減を実行することは、スペクトル効率において有望な利得をも示してきた。受信機側の干渉軽減に対する更なる強化は、干渉構造についての追加の情報を用いうる複数のより進歩した受信機アルゴリズムを考慮することにより実現され得る。例えば、複数のＵＥには、これらに限定されないが、複数の送信モード、リソース割り当て粒度、干渉存在、および複数の参照シンボル等の干渉のサイド情報が提供され得る。複数のＵＥはまた、複数の干渉‐除去受信機または複数の干渉‐抑圧受信機と称され得る。したがって、受信機側でのセル内干渉およびセル間干渉の更なる強化は、ネットワークからＵＥへ可能な協調を有する複数の送信を干渉することについての情報の度合いを高めることにより実現され得る。そのような複数の干渉‐除去受信機は、物理ダウンリンク共有チャネル（ＰＤＳＣＨ）、物理ダウンリンク制御チャネル（ＰＤＣＣＨ）、拡張型物理ダウンリンク制御チャネル（ＥＰＤＣＣＨ）等の複数の異なる物理チャネルの性能改善の対象となり得る。
【００１５】
ＵＥは、複数の線形処理技術を用いることにより、干渉を低減し、スループット性能を向上し得る。複数のより進歩した受信機構造は、複数の非線形技術を用い得る。複数の非線形構造は、複数の干渉信号についての追加の情報（例えば、複数のパラメータ）を用い得る。換言すると、ＵＥは、干渉信号について複数のあるパラメータがＵＥに知られている場合、干渉抑圧を実行し得る。干渉信号を記述するこれらのパラメータは、変調次数、プリコーディングマトリクス指標（ＰＭＩ）、レイヤ数、複数の送信モード等を含み得る。例として、ＵＥは、干渉信号が任意の信号ではなく、むしろ複数の特定ポイントで発生することを知るべく、変調次数を用い得る。ＵＥは、複数の隣接セルからの干渉をより良く抑圧すべく、そのような情報を用い得る。一構成において、複数のそのようなパラメータは、ＵＥの受信機で、受信された信号から推定され得る。換言すると、ＵＥは干渉信号を（例えば、隣接セルにおけるｅＮＢから）検出し得、次に干渉信号からこれらの信号パラメータを推定し得る。しかし、いくつかの例において、干渉信号からの複数の信号パラメータの推定は、実際的実装には信頼性のないもので複雑となり得る。加えて、複数の信号パラメータの推定は、ＵＥでの追加の電力使用をもたらし得る。
【００１６】
ＵＥの複雑性を低減し、性能を向上させるべく、複数の干渉信号パラメータの半静的シグナリングが３ＧＰＰテクニカルレポート（ＴＲ）３６．８６６において検討されている。換言すると、ＵＥは、干渉信号の複数の信号パラメータを取得するために、ネットワーク支援（例えば、半静的シグナリングの受信）を用い得るのであって、ＵＥが複数の信号パラメータ自体を推定するのではない。そのようなアプローチの１つの欠点は、半静的シグナリングが、多数のフレームにわたり複数の示されたパラメータの半静的制限を暗示することである。換言すると、ＵＥは、半静的シグナリングにおいて複数の信号パラメータを用いて干渉抑圧を実行し得るが、複数の信号パラメータが時間とともに変化する場合、シグナリングが「半静的」であるか、または頻繁ではないため、ＵＥは複数の変化を認識し得ない。したがって、ＵＥは、複数の期限切れの信号パラメータを用いて、干渉抑圧の実行を継続し得る。そのような長期間の制限は、干渉セルにおける性能を低下し得、したがって望ましいものではない。
【００１７】
（干渉信号を介して）ＵＥに対して干渉を引き起こすｅＮＢは、隣接ｅＮＢと称され得る。干渉を引き起こすｅＮＢはまた、攻撃者ｅＮＢまたは干渉ｅＮＢと称され得る。隣接ｅＮＢが複数の信号パラメータのいくつかを再構成するとき、ＵＥは更新済の再構成を、半静的シグナリングを通じて適時に受信し得ない。従来技術において、隣接ｅＮＢは、複数の信号パラメータの再構成を、複数の他のｅＮＢに伝達し得る。複数の他のｅＮＢのそれぞれは、複数の再構成された信号パラメータを隣接ｅＮＢから受信すると、干渉ｅＮＢの複数の再構成された信号パラメータを処理または組み込み得る。したがって、隣接ｅＮＢでの複数の信号パラメータの各再構成は、複数の他のｅＮＢ間で比較的大量のシグナリングをもたらす。結果として、ＵＥは、複数の信号パラメータの更新済の構成を適時に受信し得ず、干渉低減または干渉抑圧を実行すべく、複数の期限切れの信号パラメータ構成の使用を継続し得る。
【００１８】
したがって、現在の技術は、半静的シグナリングをＵＥに提供すること、および隣接セル（または隣接ｅＮＢ）から動的シグナリングを提供することをも説明している。半静的シグナリングは、隣接セル（または隣接ｅＮＢ）における１または複数の可能な干渉構成を示し得る。動的シグナリングは、隣接ｅＮＢの所与のサブフレームにおいて実現されてきた実際の干渉構成を示し得る。動的シグナリングは、隣接ｅＮＢからＵＥに直接伝達され得る。ＵＥは、隣接セルにおける隣接ｅＮＢからの干渉を低減または抑圧すべく、半静的シグナリングおよび動的シグナリングの両方を用い得る。換言すると、ＵＥは、干渉を低減するためのハイブリッドシグナリング（つまり、半静的シグナリングおよび動的シグナリングの両方）を用い得る。代替的に、ＵＥは、同一セル内の他の複数のＵＥからの干渉を低減または抑圧すべく、半静的シグナリングおよび動的シグナリングの両方を用い得る。半静的シグナリングに加えて動的シグナリングをＵＥに提供することにより、干渉低減を実行するための複数の信号パラメータの以前の長期間の制限が除去され得る。加えて、ハイブリッドシグナリングは、複数の信号パラメータを独自に決定することをＵＥから取り除くことにより、ＵＥでの複雑性を低減し得る。
【００１９】
図２は、ユーザ機器（ＵＥ）２２０が信号干渉軽減を実行することを可能とすべく、半静的シグナリングと動的シグナリングとをＵＥ２２０に提供することを図示する。ＵＥ２２０は、サービング進化型ノードＢ（ｅＮＢ）２１０によりサーブされるセル内にあり得る。一例において、ＵＥ２２０は、サービングｅＮＢ２１０によりサーブされているセル内のセル端に隣接し得る。隣接ｅＮＢ２３０は、サービングｅＮＢ２１０によりサーブされるセルに対して隣接セル内にあり得る。換言すると、サービングｅＮＢ２１０および隣接ｅＮＢ２３０は、複数の隣接セルに位置され得る。隣接ｅＮＢ２３０は、サービングｅＮＢ２１０によりサーブされるＵＥ２２０に対する信号干渉を引き起こすｅＮＢをに該当し得る。隣接ｅＮＢ２３０はまた、攻撃者ｅＮＢまたは干渉ｅＮＢと称され得、つまり、このｅＮＢは、ＵＥ２２０でアップリンク（ＵＬ）送信および／またはダウンリンク（ＤＬ）送信で干渉しているためである。サービングｅＮＢ２１０はまた、被害者ｅＮＢと称され得る。サービングｅＮＢ２１０が「被害者」とみなされ得るのは、サービングｅＮＢ２１０によりサーブされる複数のＵＥが、隣接ｅＮＢ２３０からの信号干渉に耐え得るためである。ＵＥ２２０はまた、ＵＥ２２０で耐える隣接ｅＮＢ２３０からの信号干渉のため、「被害者」とみなされ得る。
【００２０】
ＵＥ２２０は、半静的シグナリングを、サービングｅＮＢ２１０を介して隣接進化型ノードＢ（ｅＮＢ）２３０から周期的に受信し得る。例えば、隣接ｅＮＢ２３０は、半静的シグナリングを、バックホールリンク２１５を介してサービングｅＮＢ２１０に伝達し得、次に、サービングｅＮＢ２１０は、半静的シグナリングをＵＥ２２０に転送し得る。一例において、サービングｅＮＢ２１０は、半静的シグナリングを、ユニキャスト送信を介してＵＥ２２０に転送し得る。半静的シグナリングは、隣接ｅＮＢ２３０で用いられる複数の信号パラメータの複数の可能な構成を含み得る。換言すると、複数の信号パラメータの複数の可能な構成は、隣接ｅＮＢ２３０から送信される干渉信号を説明、または特徴付けし得る。ＵＥ２２０は、隣接ｅＮＢ２３０からの干渉を低減または抑圧すべく、半静的シグナリングにおいて複数の信号パラメータの複数の可能な構成を用い得る。例えば、ＵＥ２２０は、隣接ｅＮＢ２３０からの干渉を低減するために、複数の信号パラメータの複数の可能な構成を用いて、ブラインドデコードを実行し得る。ＵＥ２２０が、隣接ｅＮＢ２３０で実装されている複数の信号パラメータの複数の可能な構成を知っている場合、ＵＥ２２０は次に、ＵＥ２２０についての複数の干渉信号の影響を低減すべく、この情報を用い得る。
【００２１】
一例において、半静的シグナリングは、隣接ｅＮＢ２３０で用いられる物理リソースブロック（ＰＲＢ）割り当て粒度の複数の可能な構成を含み得る。隣接ｅＮＢ２３０は、複数のＰＲＢの複数のチャンクを用いて、隣接ｅＮＢ２３０によりサーブされる複数のＵＥをスケジューリングし得る。隣接ｅＮＢ２３０は、Ｖｏｉｃｅ  ｏｖｅｒ  Ｉｎｔｅｒｎｅｔ  Ｐｒｏｔｏｃｏｌ（ＶｏＩＰ）が用いられているか否か等の複数のトラフィック条件に基づいて、異なるリソース割り当て粒度を用い得る。複数の非限定的な例として、複数のＰＲＢ割り当て粒度の複数の可能な構成は、１つのＰＲＢまたは４つのＰＲＢを含み得、これらの可能な構成は、ＵＥ２２０に提供され得る。ＵＥ２２０は、隣接ｅＮＢ２３０からの干渉を低減すべく、複数のＰＲＢ割り当て粒度を用い得る。
【００２２】
半静的シグナリングは、隣接ｅＮＢ２３０で、複数のサポートされた送信モードのサブセットを含み得る。例えば、半静的シグナリングは、送信モード（ＴＭ）９およびＴＭ１０の両方が、隣接ｅＮＢ２３０でサポートされることを示し得る。換言すると、半静的シグナリングは、ＴＭ９およびＴＭ１０の両方が、隣接ｅＮＢ２３０でサポートされることを示し得るが、どの特定のＴＭが現在隣接ｅＮＢ２３０で用いられているかは示し得ない。しかし、ＵＥ２２０は、隣接ｅＮＢ２３０からの干渉を低減させるべく、複数のサポートされた送信モードのサブセットを用い得る。
【００２３】
半静的シグナリングは、ＰＲＢホッピングが隣接ｅＮＢ２３０で用いられるという指標を含み得る。いくつかの例において、隣接ｅＮＢ２３０は、複数の分散されたＰＲＢを用いず、むしろ複数の局在したＰＲＢ割り当てを用いる。隣接ｅＮＢ２３０は、複数のある状況においてＰＲＢホッピングを用い得る。隣接ｅＮＢ２３０がＰＲＢホッピングを用いない場合、隣接ｅＮＢ２３０は、ＰＲＢホッピングが所与のサブフレームにおいて用いられることを示し得る。ＵＥ２２０は、ＰＲＢホッピングが隣接ｅＮＢ２３０により実行されるときに、そのような複数のリソース割り当てに対して複数のある処理アルゴリズムを調整し得、ＵＥ２２０が隣接ｅＮＢ２３０からの干渉を低減することを可能とし得る。
【００２４】
半静的シグナリングは、ダウンリンク送信に対する最大レイヤ数を含み得る。換言すると、半静的シグナリングは、隣接ｅＮＢ２３０で用いられてきたレイヤ数についての上限をＵＥ２２０に提供し得る。最大レイヤ数は、複数のアンテナが用いられるときに複数のダウンリンク送信に用いられる複数の空間レイヤ数を参照し得る。先述の解決方法において、ＵＥ２２０は、どれだけのレイヤが隣接ｅＮＢ２３０において用いられていたのかを、ブラインド検出し得る。現在の技術において、半静的シグナリングは、干渉を低減する複雑性が、ＵＥ２２０でのより少ないブラインドデコードの推定に起因して低減され得るよう、ＵＥ２２０に最大レイヤ数（または、最大レイヤ数の可能な範囲）を提供し得る。
【００２５】
半静的シグナリングは、隣接ｅＮＢ２３０で用いられる最大変調次数を含み得る。変調次数は、リソース要素（ＲＥ）単位のビット数を参照し得る。例えば、変調次数は２から６の範囲であり得る。一例において、半静的シグナリングは、干渉を減少する複雑性が、ＵＥ２２０でのより少ないブラインドデコードの推定に起因して低減され得るよう、最大変調次数の可能な範囲（例えば、ＲＥ単位で４または６ビット）を含み得る。換言すると、ＵＥ２２０に最大変調次数の範囲を提供することで、ＵＥ２２０は全ての可能な変調を検索しなくてもよくなり、よってＵＥ２２０でのブラインド検出の複雑性を低減し得る。
【００２６】
半静的シグナリングは、送信モード１０（ＴＭ１０）に対する複数のスクランブリング識別のサブセットを含み得る。ＴＭ１０における複数の参照信号に用いられる複数のスクランブリングコードがある場合、これらのスクランブリングコードは初期化され得る。換言すれば、隣接ｅＮＢ２３０は一連のこれらのスクランブリングコードを用い得る。隣接ｅＮＢ２３０により用いられるスクランブリングコンテンツの複数のインデックスは、半静的シグナリングに含まれ得る。複数のスクランブリング識別は、隣接ｅＮＢ２３０により用いられるスクランブリングシーケンスのブラインド検出の複雑性を低減するために、ＵＥ２２０への半静的シグナリングに含まれ得る。
【００２７】
したがって、半静的シグナリングは、ＰＲＢ割り当て粒度、複数のサポートされた送信モードのサブセット、ＰＲＢホッピングが隣接ｅＮＢ２３０で用いられるか否かという指標、ダウンリンク送信に対する最大レイヤ数、最大変調次数、フレームのアップリンク‐ダウンリンク構成、複数のパワーオフセットの複数の値のサブセット、および／または定義された送信モードに対する複数のスクランブリング識別のサブセット等の複数の信号パラメータの複数の潜在的構成を含み得る。ＵＥ２２０は、ブラインド検出を実行して隣接ｅＮＢ２３０からの信号干渉を低減すべく、半静的シグナリングにおいて複数の信号パラメータの複数の潜在的構成を用い得るが、実行されるブラインド検出量は、ＵＥ２２０にとって過剰に複雑となり得、ＵＥの大量の電力を消費し得る。半静的シグナリングは、複数の可能な値または信号パラメータ構成の範囲を提供し得るのみであることが多いため、ＵＥ２２０は、半静的シグナリングに含まれる複数の可能な信号パラメータ構成を調べるべく、依然として比較的大量のコンピューティング電力を消費しなければならない。加えて、半静的シグナリングの周期的性質は、期限切れとなっている複数の信号パラメータの複数の潜在的構成をもたらし得る。換言すると、隣接ｅＮＢ２３０は、それらの信号パラメータの１つを修正し得るが、更新済の半静的シグナリングがＵＥ２２０に頻繁に提供されないため、ＵＥ２２０はその修正を比較的長期にわたり知り得ない。結果として、ＵＥ２２０は、複数の期限切れの信号パラメータ構成を用いてブラインド検出を実行するよう試み得、ＵＥ２２０が隣接ｅＮＢ２３０からの干渉を成功裏に低減または抑圧する可能性を低減し得る。
【００２８】
一構成において、隣接ｅＮＢ２３０は、複数の信号パラメータの複数の潜在的構成のサブセットを含む動的シグナリングを、ＵＥ２２０に送信し得る。隣接ｅＮＢ２３０は、半静的シグナリングに加えて、動的シグナリングを送信し得る。動的シグナリングに含まれる複数の信号パラメータは、隣接ｅＮＢ２３０において所与のダウンリンクサブフレームで、または一連の複数のダウンリンクサブフレームで現在用いられ得る。一例において、複数の信号パラメータの複数の潜在的構成のサブセットは、（半静的シグナリングにおいて提供されるような複数の可能な構成の範囲ではなく）隣接ｅＮＢ２３０で用いられる複数の信号パラメータの実際の構成である。代替的に、半静的シグナリングに含まれる複数の信号パラメータの複数の潜在的構成と比べて、複数の信号パラメータの複数の潜在的構成のサブセットは、複数の可能な信号パラメータ構成の正確な（または低減された）範囲であり得る。換言すると、動的シグナリングに含まれる情報は、半静的シグナリングに以前に含まれた情報のサブセットであり得る。
【００２９】
隣接ｅＮＢ２３０は、複数の信号パラメータの複数の潜在的構成のうちの少なくとも１つを選択し、または既存構成における複数の信号パラメータを修正すると、動的シグナリングを送信するようトリガされ得る。一例において、隣接ｅＮＢ２３０は動的シグナリングをブロードキャストし得る。ＵＥ２２０は、ブロードキャストを検出し得、隣接ｅＮＢ２３０での１または複数の信号パラメータ構成が修正されていたことを決定し得る。代替的な構成において、隣接ｅＮＢ２３０は、動的シグナリングを、バックホールリンク２１５を介してサービングｅＮＢ２１０に送信し得、サービングｅＮＢ２１０は、動的シグナリングをＵＥ２２０に転送し得る。しかし、動的シグナリングをサービングｅＮＢ２１０を介して送信することは、隣接ｅＮＢ２３０が信号パラメータの既存構成を更新または修正するときに追加のシグナリングをもたらし得る。
【００３０】
ＵＥ２２０は、ブラインド検出を実行して隣接ｅＮＢ２３０からの干渉を低減すべく、隣接ｅＮＢ２３０からブロードキャストされた動的シグナリング（および半静的シグナリング）を用い得る。動的シグナリングは、隣接ｅＮＢ２３０で用いられる複数の信号パラメータの実際の構成（または、複数の信号パラメータの複数の可能な構成の削減された範囲）であり得る。したがって、ＵＥ２２０は、隣接ｅＮＢ２３０からの干渉を低減するために、（半静的シグナリングのみを用いることと比べて）ブラインド検出をより効率的に実行し得る。加えて、動的シグナリングは、半静的シグナリングと比べてより正確および最新のものであり得る。結果として、ＵＥ２２０は、隣接ｅＮＢ２３０でより迅速に複数の修正を認識し得、したがって、隣接ｅＮＢ２３０で用いられる複数の修正された信号パラメータを構成すべく、ＵＥの干渉低減または抑圧の技術を変更し得る。
【００３１】
動的シグナリングは、更新されたＰＲＢ割り当て粒度、複数のサポートされた送信モードの更新済のサブセット、ＰＲＢホッピングが隣接ｅＮＢ２３０で用いられるか否かという更新済の指標、ダウンリンク送信に対する更新済の最大レイヤ数、更新済の最大変調次数、フレームの更新済のアップリンク‐ダウンリンク構成、複数のパワーオフセットの複数の値の更新済のサブセット、および／または定義された送信モードに対する複数のスクランブリング識別の更新済のサブセット等の複数の信号パラメータの複数の潜在的構成のサブセットを含み得る。ＵＥは、隣接ｅＮＢ２３０からの信号干渉を低減すべく、動的シグナリングにおいて複数の信号パラメータの複数の潜在的構成（または、複数の更新済の信号パラメータ構成）のサブセットを用い得る。前に説明されたように、サブセットは、隣接ｅＮＢ２３０で用いられる一連の低減された可能な信号パラメータ構成、または実際の信号パラメータ構成を含み得る。
【００３２】
一例において、ＵＥ２２０は、隣接ｅＮＢ２３０からの干渉を低減すべく、動的シグナリングおよび半静的シグナリングの両方を用い得る。非限定的な例として、ＵＥ２２０は、隣接ｅＮＢ２３０からの干渉を低減するために、ＰＲＢ割り当て粒度、ＰＲＢホッピング、およびダウンリンク送信に対する最大レイヤ数に対する半静的シグナリングと、複数の送信モード、最大変調次数、および複数のスクランブリング識別に対する動的シグナリングとを用い得る。
【００３３】
一例において、隣接ｅＮＢ２３０は、４つのＰＲＢのＰＲＢ割り当て粒度を示す半静的シグナリングを、ＵＥ２２０に最初に送信し得る。しかし、４つのＰＲＢは、複数のある状況（例えば、典型的に複数の狭帯域割り当てを有する複数のＶｏＩＰ  ＵＥ）にとって理想的でないかもしれない。したがって、隣接ｅＮＢ２３０は、ＶｏＩＰトラフィックを配信するために、リソース割り当てを、１つのＰＲＢ等のより小さいサイズに動的に変更し得る。隣接ｅＮＢ２３０は、ＵＥ２２０にブロードキャストされる動的シグナリングを用いて、更新済のＰＲＢ割り当て粒度をＵＥ２２０に動的に通知し得る。したがって、隣接ｅＮＢ２３０は、リソース割り当て粒度が、４つのＰＲＢから１つのＰＲＢに変更されたことを示し得る。動的シグナリングは、隣接ｅＮＢ２３０での所与のサブフレーム、または一連の複数のサブフレーム上で現在用いられている実際のリソース割り当て粒度についての隣接ｅＮＢ２３０からの直接的な指標であり得る。
【００３４】
別の例において、隣接ｅＮＢ２３０は、ＴＭ９およびＴＭ１０の両方が隣接ｅＮＢ２３０でサポートされていることを示す半静的シグナリングを、ＵＥ２２０に最初に送信し得る。換言すると、隣接ｅＮＢ２３０は、ＴＭ９またはＴＭ１０のどちらかが用いられ得ることを示し得る。後の時間に、隣接ｅＮＢ２３０は、ＴＭ１０が現在、所与のサブフレームにおいて用いられていることを示す動的シグナリングを送信し得る。したがって、ＵＥ２２０は、干渉抑圧を実行するとき、更新済の送信モードを用い得る。
【００３５】
さらに別の例において、隣接ｅＮＢ２３０は、隣接ｅＮＢ２３０で用いられる複数のダウンリンク送信に対する最大レイヤ数に対して定義された範囲を示す半静的シグナリングを、ＵＥ２２０に最初に送信し得る。後の時間に、隣接ｅＮＢ２３０は、複数のダウンリンク送信に対する最大レイヤ数に対して、（半静的シグナリングに以前に含まれた定義された範囲と比べて）削減された範囲を示す動的シグナリングを送信し得る。隣接ｅＮＢ２３０は、最大レイヤ数を１のダウンリンクサブフレームから別のダウンリンクサブフレームに動的に変更し得るため、動的シグナリングは、ＵＥ２２０が最大レイヤ数の更新済の指標を適時に受信することを可能とする。同様に、隣接ｅＮＢ２３０は、最大変調次数を動的に変更し得、したがって、動的シグナリングは、ＵＥ２２０が最大変調次数の更新済の指標を適時に受信することを可能とする。
【００３６】
一例において、ＵＥ２２０は、隣接ｅＮＢ２３０で所与のＰＲＢにおいて用いられる特定の送信モードに基づいて、干渉を低減し得る。先述の解決方法において、ＵＥ２２０は、全ての可能な送信モード（例えば、ＴＭ１からＴＭ１０）の中からブラインド検出を実行していた。ＵＥ２２０は、隣接ｅＮＢ２３０により用いられる実際の送信モードを、各ＰＲＢに対して、ブラインド検出していた。現在の技術において、隣接ｅＮＢ２３０が複数の送信モードの２つの可能なサブセットを生成するとき、複雑性がＵＥで低減され得る。第１のサブセットはＴＭ１からＴＭ５で、第２のサブセットはＴＭ５からＴＭ１０であり得る。隣接ｅＮＢ２３０は、第１のサブセットと第２のサブセットとを半静的シグナリングにおいてＵＥ２２０に送信し得る。後の時間に、隣接ｅＮＢ２３０は、ＴＭ１からＴＭ５のサブセットが、ＵＥ２２０に提供される動的シグナリングを介して用いられていることを示し得、ＵＥ２２０に対する検索空間（および複雑性）を低減し得る。代替的な例において、動的シグナリングは、ＴＭ３またはＴＭ４が隣接ｅＮＢ２３０で用いられていることをＵＥ２２０に示し得る。ＵＥ２２０は、信号がどのようにして隣接セルにおいて構造化されているのかを決定すべく、この情報を用い得、したがって、ＵＥ２２０は、この情報を用いて干渉を抑圧し得る。
【００３７】
一例において、隣接ｅＮＢ２３０は、１つのＰＲＢペアと、１より大きい整数であるＸの隣接ＰＲＢペアとの２つのＰＲＢ割り当て粒度で構成され得る。一例において、Ｘはリソースブロックグループ（ＲＢＧ）と同等であり得る。隣接ｅＮＢ２３０で実行される実際のスケジューリングの決定に応じて、第１の割り当て粒度または第２の割り当て粒度のどちらかは、ＵＥ２２０にシグナリングされ得る。別の例において、複数の送信モードの２つのサブセットは、例えば、｛ＴＭ２、ＴＭ３、ＴＭ４｝または｛ＴＭ１からＴＭ１０｝と構成され得る。隣接ｅＮＢ２３０で実行される実際のスケジューリングの決定に応じて、２つのサブセットからの実際の一連の複数の送信モードがＵＥ２２０に提供され得る。別の例において、ＰＲＢホッピングは、隣接ｅＮＢ２３０で実行されるスケジューリングの決定に応じて、有効または無効とされ得る。ＰＲＢホッピングの使用についての実際の情報は、動的シグナリングを介してＵＥ２２０に提供され得る。
【００３８】
隣接ｅＮＢ２３０から受信される動的シグナリングに基づいて、ＵＥ２２０は、半静的シグナリングの中のどの複数のパラメータが隣接ｅＮＢ２３０で複数の所与のダウンリンクサブフレームにおいて実際に用いられるかを理解し得る。結果として、ＵＥ２２０は、隣接ｅＮＢ２３０からの干渉をより効果的にに除去し得る。複数の実際の信号パラメータ（および半静的シグナリングからの複数の可能な信号パラメータ）を知ることにより、ＵＥ２２０は、干渉信号がどのようにして隣接セルにおいて構造化されるのかを検出し得、したがって干渉信号を抑圧し得る。加えて、ＵＥ２２０は、動的シグナリングに基づいて、干渉を低減すべく、より少ない計算容量を用い得る。動的シグナリングがなければ、ＵＥ２２０は複数の潜在的信号パラメータ構成における全ての可能な値の中からブラインド検出を実行せざるを得なく、それは大量の計算をもたらし得る。複数の実際の信号パラメータ値（または、複数の可能な信号パラメータ値の低減されたサブセット）が動的シグナリングにおいてＵＥに提供される場合、ＵＥ２２０は、低減された値の数をブラインド検出し得る。
【００３９】
図３は、サービングｅＮＢ３２０を介した隣接進化型ノードＢ（ｅＮＢ）３３０とユーザ機器（ＵＥ）３１０との間の半静的シグナリングと、隣接ｅＮＢ３３０とＵＥ３１０との間で直接行われる動的シグナリングとを図示する。隣接ｅＮＢ３３０は半静的シグナリングをサービングｅＮＢ３２０に周期的に送信し得、サービングｅＮＢ３２０は半静的シグナリングをＵＥ３１０に転送し得る。半静的シグナリングは、隣接ｅＮＢ３３０で用いられる複数の信号パラメータの複数の潜在的構成を含み得る。例えば、半静的シグナリングは、物理リソースブロック（ＰＲＢ）割り当て粒度、複数のサポートされたの送信モードのサブセット、ＰＲＢホッピングが隣接ｅＮＢで用いられるという指標、複数のダウンリンク送信に対する最大レイヤ数、最大変調次数、フレームのアップリンク‐ダウンリンク構成、複数のパワーオフセットの複数の値のサブセット、および／または定義された送信モードに対する複数のスクランブリング識別のサブセットを含み得る。ＵＥ３１０は、隣接ｅＮＢ３３０からの干渉を低減すべく、半静的シグナリングを用い得る。加えて、ＵＥ３１０は、動的シグナリングを、隣接ｅＮＢ３３０から受信し得る。動的シグナリングは、隣接ｅＮＢ３３０で用いられる複数の信号パラメータの複数の更新済の潜在的構成を含み得る。加えて、動的シグナリングは、複数の実際の構成、および／または隣接ｅＮＢ３３０で用いられる複数の潜在的構成の低減されたサブセットを含み得る。半静的シグナリングと動的シグナリングの両方を用いることにより、ＵＥ３１０は、低減されたコンピューティングおよび電力消費量を用いて、干渉低減または抑圧を実行し得る。
【００４０】
別の例は、図４に示すように、信号干渉を低減するよう動作可能なユーザ機器（ＵＥ）４１０の機能性４００を提供する。ＵＥ４１０は、半静的シグナリングを、サービングｅＮＢ４２０を介して隣接進化型ノードＢ（ｅＮＢ）４３０から受信するよう構成された通信モジュール４１２を含み得る。半静的シグナリングは、隣接ｅＮＢ４３０で用いられる複数の信号パラメータの複数の潜在的構成を含み得る。ＵＥ４１０は、サービングｅＮＢ４２０によりサーブされるセル内に位置され得る。通信モジュール４１２は、隣接ｅＮＢ４３０で所与のダウンリンクサブフレームにおいて用いられる複数の信号パラメータの複数の潜在的構成のサブセットを含む動的シグナリングを、ＵＥ４１０で、隣接ｅＮＢ４３０から直接受信するよう構成され得る。ＵＥ４１０は、複数の信号パラメータの複数の潜在的構成を含む半静的シグナリングと、複数の信号パラメータの複数の潜在的構成のサブセットを含む動的シグナリングとを用いて、隣接ｅＮＢ４３０により引き起こされるＵＥ４１０での信号干渉を低減するよう構成された干渉低減モジュール４１４を含み得る。
【００４１】
一例において、通信モジュール４１２は、動的シグナリングを、物理ダウンリンク制御チャネル（ＰＤＣＣＨ）、または拡張型ＰＤＣＣＨ（ＥＰＤＣＣＨ）を介して隣接ｅＮＢ４３０から受信するよう更に構成され得る。通信モジュール４１２は、半静的シグナリングを、無線リソース制御（ＲＲＣ）シグナリングを介してサービングｅＮＢ４２０から受信するよう更に構成され得る。通信モジュール４１２は、半静的シグナリングおよび動的シグナリングを、定義された周期性に従って、隣接ｅＮＢ４３０から受信するよう更に構成され得る。
【００４２】
一例において、複数の信号パラメータの複数の潜在的構成のサブセットは、隣接ｅＮＢ４３０で用いられる複数の信号パラメータの実際の構成である。別の例において、ＵＥ４１０は、サービングｅＮＢ４２０によりサーブされるセル内のセル端に隣接して配置され、隣接ｅＮＢ４３０からの信号干渉に耐える。さらに別の例において、隣接ｅＮＢ４３０は、ＵＥをサーブするサービングｅＮＢ４２０に近接する隣接セル内に位置されている。
【００４３】
一例において、通信モジュール４１２は、半静的シグナリングを、サービングｅＮＢ４２０からのユニキャスト送信を介して受信するよう更に構成され得、サービングｅＮＢ４２０は半静的シグナリングを、バックホールリンクを介して隣接ｅＮＢ４３０から受信する。別の例において、半静的シグナリングにおける複数の信号パラメータの複数の潜在的構成、および動的シグナリングにおける複数の信号パラメータの複数の潜在的構成のサブセットは、物理リソースブロック（ＰＲＢ）割り当て粒度、複数のサポートされた送信モードのサブセット、ＰＲＢホッピングが隣接ｅＮＢで用いられるという指標、複数のダウンリンク送信に対する最大レイヤ数、最大変調次数、フレームのアップリンク‐ダウンリンク構成、複数のパワーオフセットの複数の値のサブセット、または定義された送信モードに対する複数のＵＥ固有の基準信号に対する複数のスクランブリング識別のサブセットのうちの少なくとも１つを含み得る。
【００４４】
一例において、干渉低減モジュール４１４は、隣接ｅＮＢ４３０により引き起こされる信号干渉を低減するために、ブラインド検出を実行するよう更に構成され得る。ＵＥ４１０は、半静的シグナリングにおける複数の信号パラメータの複数の潜在的構成、または動的シグナリングにおける複数の信号パラメータの潜在的構成のサブセットのうちの少なくとも１つを用いて、ブラインド検出を実行し得る。別の例において、通信モジュール４１２は、隣接ｅＮＢ４３０が複数の信号パラメータの複数の潜在的構成のうちの少なくとも１つを選択し、または既存構成における複数の信号パラメータを修正することに応答して、動的シグナリングを隣接ｅＮＢ４３０から受信するよう更に構成され得る。さらに別の例において、通信モジュール４１２は、動的シグナリングを、ブロードキャスト送信を介して隣接ｅＮＢ４３０から受信するよう更に構成され得る。
【００４５】
別の例は、図５におけるフローチャートで示すように、信号干渉の低減を容易にするよう動作可能な隣接進化型ノードＢ（ｅＮＢ）の機能性５００を提供する。機能性は方法として実装され得、または、機能性は機械上で複数の命令として実行され得、複数の命令は少なくとも１つのコンピュータ可読媒体または１つの非一時的機械可読記憶媒体に含まれる。ブロック５１０にあるように、隣接ｅＮＢは、半静的シグナリングを、サービングｅＮＢを介してユーザ機器（ＵＥ）に送信するよう構成された１または複数のプロセッサを含み得、半静的シグナリングは、隣接ｅＮＢで用いられる複数の信号パラメータの複数の潜在的構成を含み、ＵＥは、サービングｅＮＢによりサーブされるセル内に位置される。ブロック５２０にあるように、隣接ｅＮＢは、隣接ｅＮＢで所与のダウンリンクサブフレームにおいて用いられる複数の信号パラメータの複数の潜在的構成のサブセットを含む動的シグナリングを、ＵＥに送信するよう構成された１または複数のプロセッサを含み得る。一例において、複数の信号パラメータの複数の潜在的構成を含む半静的シグナリング、および複数の信号パラメータの複数の潜在的構成のサブセットを含む動的シグナリングは、ＵＥが、隣接ｅＮＢにより引き起こされるＵＥでの信号干渉を低減することを可能とする。
【００４６】
一例において、隣接ｅＮＢは、半静的シグナリングを、定義された周期性に従って、ＵＥに送信するよう更に構成された１または複数のプロセッサを含み得る。別の例において、隣接ｅＮＢは、複数の信号パラメータの複数の潜在的構成のうちの少なくとも１つを選択し、または既存構成における複数の信号パラメータを修正することに応答して、動的シグナリングをＵＥに送信するよう更に構成された１または複数のプロセッサを含み得る。さらに別の例において、隣接ｅＮＢからの信号干渉に耐えているＵＥは、サービングｅＮＢによりサーブされているセル内のセル端に隣接して配置される。加えて、隣接ｅＮＢは、ＵＥをサーブするサービングｅＮＢに近接する隣接セル内に位置される。
【００４７】
一例において、隣接ｅＮＢは、半静的シグナリングを、バックホールリンクを介してサービングｅＮＢに送信するよう更に構成された１または複数のプロセッサを含み得、サービングｅＮＢは、半静的シグナリングを、ＵＥへのユニキャスト送信を介してＵＥに転送する。別の例において、半静的シグナリングにおける複数の信号パラメータの複数の潜在的構成、および動的シグナリングにおける複数の信号パラメータの複数の潜在的構成のサブセットは、物理リソースブロック（ＰＲＢ）割り当て粒度、複数のサポートされた送信モードのサブセット、ＰＲＢホッピングが隣接ｅＮＢで用いられるという指標、複数のダウンリンク送信に対する最大レイヤ数、最大変調次数、フレームのアップリンク‐ダウンリンク構成、複数のパワーオフセットの複数の値のサブセット、または、定義された送信モードに対する複数のＵＥ固有の基準信号に対する複数のスクランブリング識別のサブセットのうちの少なくとも１つを含み得る。さらに別の例において、隣接ｅＮＢは、動的シグナリングを、ブロードキャスト送信を介してＵＥに送信するよう更に構成された１または複数のプロセッサを含み得る。
【００４８】
別の例は、図６におけるフローチャートに示すように、信号干渉を低減するための方法６００を提供する。方法は、機械上の複数の命令として実行され得、複数の命令は、少なくとも１つのコンピュータ可読媒体、または１つの非一時的機械可読記憶媒体上に含まれる。方法は、ブロック６１０にあるように、ユーザ機器（ＵＥ）で隣接進化型ノード（ｅＮＢ）から半静的シグナリングを受信する動作を含み得、半静的シグナリングは、隣接ｅＮＢで用いられる複数の信号パラメータの複数の潜在的構成を含む。方法は、ブロック６２０にあるように、隣接ｅＮＢで用いられる複数の信号パラメータの複数の潜在的構成のサブセットを含む動的シグナリングを、ＵＥで、隣接ｅＮＢから受信する動作を含み得る。方法は、ブロック６３０にあるように、半静的シグナリングと動的シグナリングとを用いて、隣接ｅＮＢにより引き起こされるＵＥでの信号干渉を低減する動作を含み得る。
【００４９】
一例において、方法は、隣接ｅＮＢにより引き起こされる信号干渉を低減するために、半静的シグナリングと動的シグナリングとを用いて、ブラインド検出を実行する動作を更に含み得る。別の例において、複数の信号パラメータの複数の潜在的構成のサブセットは、隣接ｅＮＢで用いられる複数の信号パラメータの実際の構成である。さらに別の例において、方法は、隣接ｅＮＢからの半静的シグナリングを、サービングｅＮＢからのユニキャスト送信を介して受信する動作を含み得、サービングｅＮＢは、半静的シグナリングを、バックホールリンクを介して隣接ｅＮＢから受信する。加えて、方法は、半静的シグナリングを、定義された周期性に従って、隣接ｅＮＢから受信する動作と、隣接ｅＮＢが複数の信号パラメータの複数の潜在的構成のうちの少なくとも１つを選択し、または既存構成における複数の信号パラメータを修正することに応答して、動的シグナリングを隣接ｅＮＢから受信する動作を含み得る。
【００５０】
図７は、ユーザ機器（ＵＥ）、モバイルステーション（ＭＳ）、モバイル無線デバイス、モバイル通信デバイス、タブレット、ハンドセットまたは他のタイプの無線デバイス等の無線デバイスの例示的な図を提供する。無線デバイスは、ノード、マクロノード、低電力ノード（ＬＰＮ）、または基地局（ＢＳ）、進化型ノードＢ（ｅＮＢ）、ベースバンドユニット（ＢＢＵ）、遠隔無線ヘッド（ＲＲＨ）、遠隔無線機器（ＲＲＥ）、リレーステーション（ＲＳ）、無線機器（ＲＥ）または他のタイプの無線ワイドエリアネットワーク（ＷＷＡＮ）アクセスポイント等の送信局と通信するよう構成された１または複数のアンテナを含み得る。無線デバイスは、３ＧＰＰ  ＬＴＥ、ＷｉＭＡＸ、高速パケットアクセス（ＨＳＰＡ）、Ｂｌｕｅｔｏｏｔｈ（登録商標）、およびＷｉＦｉを含む少なくとも１つの無線通信規格を用いて通信するよう構成され得る。無線デバイスは、各無線通信規格に対して別個の複数のアンテナ、または複数の無線通信規格に対して共通の複数のアンテナを用いて通信し得る。無線デバイスは、無線ローカルエリアネットワーク（ＷＬＡＮ）、無線パーソナルエリアネットワーク（ＷＰＡＮ）、および／またはＷＷＡＮにおいて通信し得る。
【００５１】
図７はまた、無線デバイスからの音声入力および出力のために用いられ得るマイク、および１または複数のスピーカの図示を提供する。ディスプレイ画面は、液晶ディスプレイ（ＬＣＤ）画面、または有機発光ダイオード（ＯＬＥＤ）ディスプレイ等の他のタイプのディスプレイ画面であり得る。ディスプレイ画面は、タッチスクリーンとして構成され得る。タッチスクリーンは、静電容量方式、抵抗方式、または別のタイプのタッチスクリーン技術を用い得る。アプリケーションプロセッサおよびグラフィクスプロセッサは、処理およびディスプレイ性能を提供すべく、内部メモリに結合され得る。不揮発性メモリポートはまた、データの入力／出力の複数のオプションをユーザに提供すべく用いられ得る。不揮発性メモリポートはまた、無線デバイスのメモリ性能を拡張すべく用いられ得る。キーボードは、追加のユーザ入力を提供すべく、無線デバイスに統合され得、または無線デバイスに無線接続され得る。仮想的キーボードはまた、タッチスクリーンを用いて提供され得る。
【００５２】
様々な技術、または複数のある態様またはこれらの複数の部分は、複数のフロッピー（登録商標）ディスク、複数のＣＤ−ＲＯＭ、複数のハードドライブ、非一時的コンピュータ可読記憶媒体、または任意の他の機械可読記憶媒体等の有形の媒体に具現化されるプログラムコード（つまり、複数の命令）の形式を利用し得、プログラムコードがコンピュータの等の機械によってロードされ、および機械によって実行されるときに、機械は様々な技術を実行するための装置になる。回路は、ハードウェア、ファームウェア、プログラムコード、実行可能なコード、複数のコンピュータ命令、および／またはソフトウェアを含み得る。非一時的コンピュータ可読記憶媒体は、信号を含まないコンピュータ可読記憶媒体であり得る。複数のプログラマブルコンピュータ上でのプログラムコードの実行の場合、コンピューティングデバイスは、プロセッサ、プロセッサによって読み取り可能な（揮発性メモリおよび不揮発性メモリ、および／または複数の記憶要素を含む）記憶媒体、少なくとも１つの入力デバイス、および少なくとも１つの出力デバイスを含み得る。揮発性メモリおよび不揮発性メモリ、および／または複数の記憶要素は、ＲＡＭ、ＥＰＲＯＭ、フラッシュドライブ、光学式ドライブ、磁気ハードドライブ、ソリッドステートドライブ、または電子データを格納する他の媒体であってよい。ノードおよび無線デバイスはまた、トランシーバモジュール、カウンタモジュール、処理モジュール、および／またはクロックモジュールまたはタイマモジュールを含み得る。本明細書において説明される様々な技術を実装または用い得る１または複数のプログラムは、アプリケーションプログラミングインタフェース（ＡＰＩ）、複数の再利用可能なコントロール、および同様のものを用い得る。複数のそのようなプログラムは、コンピュータシステムと通信すべく、高レベルのプロシージャプログラミング言語またはオブジェクト指向プログラミング言語において実装され得る。しかしながら、所望であれば、プログラムはアセンブリ言語または機械言語で実装され得る。いずれの場合であっても、言語は、コンパイラ型言語またはインタプリタ型言語であり、複数のハードウェア実装と組み合わせ得る。
【００５３】
本明細書において説明された多くの機能ユニットは、それらの実装の独立性をより具体的に強調するために、複数のモジュールとしてラベル付けされていることが理解されるべきである。例えば、モジュールは、複数のカスタムＶＬＳＩ回路、または複数のゲートアレイ、複数のロジックチップ等の複数の既製の半導体、複数のトランジスタ、または他の複数の別個のコンポーネントを備えるハードウェア回路として実装され得る。モジュールは、複数のフィールドプログラマブルゲートアレイ、プログラマブルアレイロジック、複数のプログラマブルロジックデバイス、または同様のもの等の複数のプログラマブルハードウェアデバイスにおいて実装され得る。
【００５４】
一例において、複数のハードウェア回路は、本明細書において説明された複数の機能ユニットを実装すべく用いられ得る。例えば、第１のハードウェア回路は複数の処理動作を実行すべく用いられ得、第２のハードウェア回路（例えば、トランシーバ）は他の複数のエンティティと通信をすべく用いられ得る。第１のハードウェア回路および第２のハードウェア回路は単一のハードウェア回路に統合され得、または代替的に、第１のハードウェア回路および第２のハードウェア回路は別個のハードウェア回路であり得る。
【００５５】
複数のモジュールはまた、様々なタイプのプロセッサによる実行のためのソフトウェアに実装され得る。実行可能なコードの特定されたモジュールは、例えば、複数のコンピュータ命令の１または複数の物理ブロックまたは論理ブロックを備え得、例えば、オブジェクト、プロシージャまたは関数として体系化され得る。それでもなお、特定されたモジュールの複数の実行ファイルは、共に物理的に位置付けられる必要はないが、共に論理的に結び付けられるときに、モジュールを備え、および、そのモジュールについて定められた目的を実現する、複数の異なる位置に格納される複数の全く異なる命令を備え得る。
【００５６】
実際、実行可能なコードのモジュールは、単一の命令、または多くの命令であり得、更には、いくつかの異なるコードセグメントにわたって、異なるプログラムの間で、およびいくつかのメモリデバイスに跨って分散され得る。同様に、処理データは、複数のモジュール内に本明細書で特定されて示され得、任意の適切な形式で具現化され得、および任意の適切なタイプのデータ構造内で体系化され得る。処理データは、単一のデータセットとして収集され得、または、複数の異なる記憶デバイスにわたることを含む複数の異なる位置にわたって分散され得、単にシステムまたはネットワーク上の複数の電子信号として、少なくとも部分的に存在し得る。複数のモジュールは、受動的または能動的であってよく、複数の所望の機能を実行するよう動作可能な複数のエージェントを含み得る。
【００５７】
「例」に対する本明細書を通じた言及は、当該例に関連して説明された特定の特徴、構造または特性が、本願発明の少なくとも１つの実施形態に含まれることを意味する。したがって、本明細書を通じて、様々な個所における「例において」という表現の出現は、必ずしも全て同一の実施形態を参照していない。
【００５８】
本明細書において用いられるように、複数のアイテム、複数の構造的要素、複数の構成要素、および／または複数の材料は、便宜上、共通のリストに提示され得る。しかし、これらのリストは、リストの各部材が、別個の部材かつ固有の部材として個別に特定されるように解釈されるべきである。したがって、そのようなリストの個々の部材は、それとは反対の複数の指標なしに共通のグループにおけるそれらの提示に専ら基づいて、同一のリストの任意の他の部材の事実上の均等物として解釈されるべきではない。加えて、本願発明の様々な実施形態および例は、これらの様々なコンポーネントの代替例と共に、本明細書において参照され得る。そのような複数の実施形態、複数の例、複数の代替例は、互いの事実上の均等物として解釈されないが、本願発明の別個かつ自律的な表現としてみなされるべきであることが理解される。
【００５９】
更に、説明された複数の特徴、複数の構造、または複数の特性は、１または複数の実施形態において任意の適切なやり方で組み合わせられ得る。以下の説明において、複数の配置、複数の距離、複数のネットワーク例の例示等の多数の具体的な詳細が、発明の複数の実施形態の完全な理解を提供すべく、提供される。しかしながら、当業者は、発明が１または複数の特定の詳細なしに、または他の複数の方法、複数のコンポーネント、複数の配置等で実施し得ることを認識するであろう。発明の複数の態様を不明瞭にすることを回避すべく、他の複数の例において、周知の複数の構造、複数の材料、または複数の動作は示されておらず、または詳細に説明されていない。
【００６０】
前述の複数の例は、１または複数の特定の応用における本願発明の複数の原理の実例である一方、形式上の多数の変形、実装の使用法および複数の詳細が、発明力を発揮することなく、発明の複数の原理および複数の概念から逸脱することなくなされ得ることは当業者にとって明らかだろう。したがって、以下に記載の特許請求の範囲を除いて、発明を限定することは意図していない。
【図１Ａ】
0006337346.tif 000002
【図１Ｂ】
0006337346.tif 000003
【図２】
0006337346.tif 000004
【図３】
0006337346.tif 000005
【図４】
0006337346.tif 000006
【図５】
0006337346.tif 000007
【図６】
0006337346.tif 000008
【図７】
0006337346.tif 000009